(57)【要約】      （修正有）【課題】より一層フィットするだけでなく、一部の面積のみ貼付されることで、発熱膜の重量を効果的に低減できると共に、美容、消炎又は鎮痛の作用を有する発熱膜を提供する。【解決手段】発熱膜１は、複数の発熱ユニット１０から成るモジュールを含む。複数の発熱ユニット１０は、組み合わせと配列により１つの発熱モジュール体として構成される。発熱ユニットを構成する構造は、発熱機能空間体及び外部補助構造体である。外部補助構造体は、発熱機能空間体を包み込み、発熱機能空間体は、少なくとも３つの主要な構造として、通気構造層１４、発熱材１５及び保護構造層１３を含む。保護構造層は、単層以上の例えばプラスチック膜又はプラスチック膜と不織布等とが混在する多層構造であってもよく、更には例えばＰＰ膜とＰＥ膜とを組み合わせた多層プラスチック膜の混在構造であってもよい。【選択図】図２Ａ
0003211025.tif 000002
【実用新案登録請求の範囲】
【請求項１】
複合式の発熱モジュール体である、複数の発熱ユニットから成る配列モジュールを含み、
各前記発熱ユニットは、発熱機能空間体と外部補助構造体とから成り、
各前記発熱ユニットの端部はそれぞれ隣接し、
隣接する前記発熱ユニット同士は互いに分離可能であり、
各前記発熱ユニット同士の間隔は０．０５ｃｍ〜５ｃｍである、
ことを特徴とする発熱膜。
【請求項２】
各前記発熱ユニットは、
基層と、
前記基層の上方に設けられており、前記基層の上表面と前記基層の下表面に添加された異なる物質同士が干渉し合うことを防ぐための仕切層と、
前記基層と前記仕切層との間に設けられた機能性層と、
前記仕切層の上方に被覆されると共に、前記仕切層との間に収容空間が形成される保護構造層と、
前記収容空間の中に設けられると共に、熱を生成するための発熱材と、
前記発熱材を包み込むと共に、前記収容空間の中に設けられた通気構造層と、
前記基層の下表面に設けられ、生物医学的塗料を前記基層の下表面に塗布することで形成される塗布層と、
を含み、
前記発熱機能空間体は、前記通気構造層、前記発熱材及び前記保護構造層から成り、
前記外部補助構造体は、前記仕切層、前記機能性層及び前記基層から成る、
ことを特徴とする請求項１に記載の発熱膜。
【請求項３】
前記基層、前記仕切層及び前記保護構造層の材質は、織布材質又はプラスチック材質又はポリプロピレン系若しくはナイロン系のプラスチックシート又は交織した膜材であり、
前記基層は、プラスチック膜と布を多層に組み合わせた組み合わせであり、
前記生物医学的塗料は、美容効果を有する美容液塗料であり、又は、消炎、鎮痛の効果を有する塗料であり、台形の濃度の塗抹を示すための塗料であり、
前記発熱材の材質は鉄粉である、
ことを特徴とする請求項２に記載の発熱膜。
【請求項４】
使用者の顔面に貼付されるための基材に設けられた複数の前記発熱ユニットを含み、
複数の前記発熱ユニットの一部が前記基材における前記顔面の左側の頬及び右側の頬に対応する位置に配置され、且つ複数の前記発熱ユニットの他の一部が前記基材における前記顔面の額の左右両側に対応する位置に配置されることによって発熱マスクが形成される、
ことを特徴とする請求項１、２、３のいずれかに記載の発熱膜。
【請求項５】
複数の発熱ユニットから成る発熱モジュール体であって、
各前記発熱ユニットの構造は、発熱機能空間体及び外部補助構造体から成り、
前記外部補助構造体は、前記発熱機能空間体を包み込み、
前記発熱機能空間体は、通気構造層、発熱材及び保護構造層を順次含み、
前記外部補助構造体は、仕切層、機能性層及び基層を順次含み、
前記保護構造層は、単層構造、又は、プラスチック膜若しくはプラスチック膜と不織布が混在する多層構造で、又は、ＰＰ膜とＰＥ膜との組み合わせの多層プラスチック膜の混在構造であり、
前記基層は、単層又は多層であり、
前記仕切層は、ＰＰ膜、ＴＰＵ膜又はＰＥ膜の単層であり、又は、ＰＰ膜とＰＥ膜との組み合わせの多層以上の組み合わせであり、若しくはＰＰ膜とＰＥ膜とＴＰＵ膜の多層以上の組み合わせである、
ことを特徴とする発熱モジュール体。
【考案の詳細な説明】
【技術分野】
【０００１】
本考案は、発熱膜に関し、特に複数の発熱ユニットを配列させて成るモジュール体を有する発熱膜に関する。
【背景技術】
【０００２】
現在市販されている発熱膜は美容効果を有しておらず、美容効果を有するマスクは発熱効果を有していない。更に、一般的に、発熱膜は、発熱用の材料を全面積に被覆する方式を採用しているため、往々にして、貼付された体の部位が被覆されることによって、使用者が使用する際の重量が増すことで不快感を増大させると共に、発熱面積に生じる温度を効果的に制御することができず、更に、使用者の体の所定部位に形成された曲線又は曲面に密着させることができず、体の部位に完全にフィットすることができない問題があり、改善する余地があった。
【考案の概要】
【考案が解決しようとする課題】
【０００３】
本考案は、従来の発熱膜における、発熱面積に生じる温度を効果的に制御することができず、使用者の体の所定部位に形成された曲線又は曲面に密着させることができず、使用者の体の部位に完全にフィットすることができない問題を解決することができる、発熱膜を提供することを課題とする。
【課題を解決するための手段】
【０００４】
上述した技術的課題を解決するために、本考案に係る発熱膜は、複合式の発熱モジュール体である、複数の発熱ユニットから成る配列モジュールを含む。各発熱ユニットは、発熱機能空間体と外部補助構造体とから成る。各発熱ユニットの端部はそれぞれ隣接し、隣接する発熱ユニット同士は互いに分離可能である。各発熱ユニット同士の間隔は０．０５ｃｍ〜５ｃｍである。
【０００５】
各発熱ユニットは、基層と、基層の上方に設けられており、基層の上表面と基層の下表面に添加された異なる物質同士が干渉し合うことを防ぐための仕切層と、基層と仕切層との間に設けられた機能性層と、仕切層の上方に被覆されると共に、仕切層との間に収容空間が形成される保護構造層と、収容空間の中に設けられると共に、熱を生成するための発熱材と、発熱材を包み込むと共に、収容空間の中に設けられた通気構造層と、基層の下表面に設けられ、生物医学的塗料を基層の下表面に塗布することで形成される塗布層と、を含み、発熱機能空間体は、通気構造層、発熱材及び保護構造層から成り、外部補助構造体は、仕切層、機能性層及び基層から成る。
【０００６】
基層、仕切層及び保護構造層の材質は、織布材質又はプラスチック材質又はポリプロピレン系若しくはナイロン系のプラスチックシート又は交織した膜材であり、プラスチックシートであってもよい。基層は、プラスチック膜と布を多層に組み合わせた組み合わせであってもよい。
【０００７】
生物医学的塗料は、美容効果を有する美容液塗料であり、又は消炎、鎮痛の効果を有する塗料であり、台形の濃度の塗抹を示すための塗料である。
【０００８】
発熱材の材質は鉄粉である。
【０００９】
発熱膜は、使用者の顔面に貼付される基材に設けられた複数の発熱膜を含み、複数の発熱膜の一部が基材における顔面の左側の頬及び右側の頬に対応する位置に配置され、且つ複数の発熱膜の他の一部が基材における顔面の額の左右両側に対応する位置に配置されることによって、発熱マスクが形成される。
【００１０】
上述した技術的課題を解決するために、本考案では発熱モジュール体を更に提供する。本考案に係る発熱モジュール体は、複数の発熱ユニットから成る。各発熱ユニットの構造は、発熱機能空間体及び外部補助構造体から成る。外部補助構造体は、発熱機能空間体を包み込むことができる。発熱機能空間体は、通気構造層、発熱材及び保護構造層を順次含み、外部補助構造体は、仕切層、機能性層及び基層を順次含む。
【００１１】
保護構造層は、単層以上の例えばプラスチック膜又はプラスチック膜と不織布等が混在する多層構造であってもよく、又は、多層プラスチック膜の混在構造、例えばＰＰ膜とＰＥ膜との組み合わせであってもよい。
【００１２】
基層は、単層又は多層であってもよい。仕切層は、単層の例えばＰＰ膜、ＴＰＵ膜又はＰＥ膜であってもよく、又は、多層以上の組み合わせ、例えばＰＰ膜とＰＥ膜との組み合わせ、若しくはＰＰ膜とＰＥ膜に更にＴＰＵ膜を加えたものであってもよい。
【考案の効果】
【００１３】
本考案に係る発熱膜は、貼付しようとする体の部位により一層しっかりと貼付することができ、より一層フィットするだけでなく、一部の面積のみ貼付されることから、貼付される発熱膜の重量を効果的に低減することができると共に、美容、消炎又は鎮痛の効果を有する。
【図面の簡単な説明】
【００１４】
【図１】本考案に係る発熱ユニットの実施例を示す側面図である。
【図２Ａ】本考案に係る実施例における複数の発熱ユニットを示す側面図である。
【図２Ｂ】本考案に係る実施例における複数の発熱ユニットをアレイ状に配列した状態を示す上面図である。
【図３】本考案に係る発熱マスクの実施例を示す図である。
【考案を実施するための形態】
【００１５】
本考案に係る発熱膜は、複数の発熱ユニット１０を組み合わせによりアレイ状に配列して１つの発熱モジュール体の配列を構成することによって、各発熱ユニット同士の端部が隣接するようにすると共に、隣接する発熱ユニット同士が互いに分離可能となるようにした。これにより、発熱膜は、貼付しようとする体の部位により一層しっかりと貼付することができ、より一層フィットするだけでなく、貼付される発熱膜の重量を効果的に低減することができる。
【００１６】
図１は、本考案の実施例に係る発熱膜において、単一の発熱ユニット１０の断面図を示す。各発熱ユニット１０は、基層１１、機能性層１２ａ、仕切層１２、保護構造層１３、発熱材１５、通気構造層１４及び塗布層１６を含む。基層１１は、発熱ユニット１０のベースとなる。仕切層１２は、基層１１の上方に設けられ、基層１１の上表面と基層１１の下表面に添加された異なる物質同士が干渉し合うことを防ぐのに用いられる。機能性層１２ａは、仕切層１２と基層１１との間に設けられる。保護構造層１３は、仕切層１２の上方に被覆されると共に、仕切層１２との間に収容空間が形成される。発熱材１５は、収容空間の中に設けられる。発熱材１５は熱を生成することができる。通気構造層１４は、発熱材１５を包み込むと共に、収容空間の中に設けられる。塗布層１６は、基層１１の下表面に設けられ、生物医学的塗料を基層１１の下表面に塗布することで形成される。
【００１７】
また、概略を述べると、本考案では、複数の発熱ユニット１０から成る配列モジュールは、複合式の発熱モジュール体である。各発熱ユニット１０は、発熱機能空間体と外部補助構造体から成る。各発熱ユニット１０の端部はそれぞれ隣接する。隣接する発熱ユニット１０同士は互いに分離可能である。各発熱ユニット１０同士の間隔は、０．０５ｃｍ〜５ｃｍである。
【００１８】
更に、発熱ユニット１０を構成する構造、即ち発熱機能空間体及び外部補助構造体において、外部補助構造体は、発熱機能空間体を包み込むことができる。発熱機能空間体は、少なくとも３つの主要な構造として、例えば上述した通気構造層１４、発熱材１５及び保護構造層１３を含む。保護層結構層１３は、単層以上の例えばプラスチック膜又はプラスチック膜と不織布等が混在する多層構造であってもよく、多層プラスチック膜の混在構造、例えばＰＰ膜にＰＥ膜を加えたものであってもよい。外部補助構造体は、上述した仕切層１２及び機能性の保護構造層１３及び基層１１を含む。上述した機能性層１２ａ及び基層１１は、単層又は多層であってもよい。仕切層１２は、単層の例えばＰＰ膜、ＴＰＵ膜又はＰＥ膜であってもよく、又は、多層以上の組み合わせ、例えばＰＰ膜とＰＥ膜との組み合わせ、若しくはＰＰ膜とＰＥ膜に更にＴＰＵ膜を加えたものであってもよい。
【００１９】
基層１１、仕切層１２、保護構造層１３の材質は、織布材質又はプラスチック材質の不織布又はポリプロピレン系若しくはナイロン系のその他のプラスチックシート、又は交織した膜材であってもよく、プラスチックシートであってもよい。基層１１は、プラスチック膜と布を多層に組み合わせた組み合わせであってもよい。
【００２０】
発熱材１５は、主として酸化還元を利用して発熱を発生させる。その材質としては、例えば鉄粉であってもよく、その酸化還元により放熱を行う。塗布層１６における生物医学的塗料は、美容効果を有する美容液塗料であり、又は消炎、鎮痛の効果を有する塗料である。塗布層１６における生物医学的塗料は、台形の濃度の塗抹を示すための塗料である。
【００２１】
図２Ａは、複数の発熱ユニット１０の配列を示す側面図である。各発熱ユニット１０は、図１に示す発熱ユニット１０と同一の構造を含む。本考案において、任意の２つの隣接する発熱ユニット１０は、互いに分離させることができる。即ち、２つの隣接する発熱ユニット１０は引き裂くことができる。図２Ｂは、複数の発熱ユニット１０を組み合わせにより１つの発熱膜１として配列構成したものを示す。各発熱ユニット１０の端部は隣接しており、同様に、隣接する発熱ユニット１０は相互に分離又は引き裂くことが可能である。各発熱ユニット１０同士の間隔は、０．０５ｃｍ〜５ｃｍである。
【００２２】
図３は、本考案の他の実施例に係る発熱マスク２０を示す。発熱マスク２０は、上述した組み合わせ配列された発熱ユニット１０を、使用者のニーズに応じてアレイ状に引き裂くことで一部の発熱ユニット１０を取り出し、複数の発熱ユニット１０を取り出すことで発熱膜１を形成することができる。更に、複数の発熱膜１（例えば、図３では４つの発熱膜１を有する）を基材２１に設置又は貼付する。基材２１は、使用者の顔面に貼付するのに用いられ、その材質としては薄膜材質が用いられる。複数の発熱膜１の一部は、基材における顔面の左側の頬及び右側の頬に対応する位置に配置される。複数の発熱膜１の他の一部は、基材２１における顔面の額の左右両側に対応する位置に配置される。これにより、発熱マスク２０の実施例が完成する。
【００２３】
このように、本考案に係る発熱膜１の利点は、発熱膜１が複数の発熱ユニット１０から成り、使用者がその体に貼付した部位の位置の違いによって形成された異なる曲線や面積に応じて、配列して組み合わされた発熱ユニット１０を引き裂いて、異なる幅や曲線に適合することができる発熱膜１を選択することで、発熱膜１がより一層使用者の体の部位にフィットすることにある。また、本考案によれば、発熱膜１を使用する全体の重量を低減することもできる。また、本考案によれば、使用上の快適性及びフィット性を効果的に向上させると共に、美容、消炎及び鎮痛の効果を有することができる。但し、本考案の明細書の記載内容は、好ましい実施例を例示的に説明するものに過ぎず、本考案の実用新案登録請求の範囲を限定するものではない。従って、本考案の明細書に基づいてなされた変更、又は修正は、いずれも本考案の実用新案登録請求の範囲に含まれる。
【符号の説明】
【００２４】
１    発熱膜
１０    発熱ユニット
１１    基層
１２    仕切層
１２ａ  機能性層
１３    保護構造層
１４    通気構造層
１５    発熱材
１６    塗布層
２０    発熱マスク
２１    基材
【図１】
0003211025.tif 000003
【図２Ａ】
0003211025.tif 000004
【図２Ｂ】
0003211025.tif 000005
【図３】
0003211025.tif 000006
【手続補正書】
【提出日】平成29年4月14日(2017.4.14)
【手続補正１】
【補正対象書類名】明細書
【補正対象項目名】０００７
【補正方法】変更
【補正の内容】
【０００７】
生物医学的塗料は、美容効果を有する美容液塗料であり、又は消炎、鎮痛の効果を有する塗料である。
【手続補正２】
【補正対象書類名】明細書
【補正対象項目名】００２０
【補正方法】変更
【補正の内容】
【００２０】
発熱材１５は、主として酸化還元を利用して発熱を発生させる。その材質としては、例えば鉄粉であってもよく、その酸化還元により放熱を行う。塗布層１６における生物医学的塗料は、美容効果を有する美容液塗料であり、又は消炎、鎮痛の効果を有する塗料である。
【手続補正３】
【補正対象書類名】実用新案登録請求の範囲
【補正対象項目名】全文
【補正方法】変更
【補正の内容】
【実用新案登録請求の範囲】
【請求項１】
複合式の発熱モジュール体である、複数の発熱ユニットから成る配列モジュールを含み、
各前記発熱ユニットは、発熱機能空間体と外部補助構造体とから成り、
各前記発熱ユニットの端部はそれぞれ隣接し、
隣接する前記発熱ユニット同士は互いに分離可能であり、
各前記発熱ユニット同士の間隔は０．０５ｃｍ〜５ｃｍである、
ことを特徴とする発熱膜。
【請求項２】
各前記発熱ユニットは、
基層と、
前記基層の上方に設けられており、前記基層の上表面と前記基層の下表面に添加された異なる物質同士が干渉し合うことを防ぐための仕切層と、
前記基層と前記仕切層との間に設けられた機能性層と、
前記仕切層の上方に被覆されると共に、前記仕切層との間に収容空間が形成される保護構造層と、
前記収容空間の中に設けられると共に、熱を生成するための発熱材と、
前記発熱材を包み込むと共に、前記収容空間の中に設けられた通気構造層と、
前記基層の下表面に設けられ、生物医学的塗料を前記基層の下表面に塗布することで形成される塗布層と、
を含み、
前記発熱機能空間体は、前記通気構造層、前記発熱材及び前記保護構造層から成り、
前記外部補助構造体は、前記仕切層、前記機能性層及び前記基層から成る、
ことを特徴とする請求項１に記載の発熱膜。
【請求項３】
前記基層、前記仕切層及び前記保護構造層の材質は、織布材質又はプラスチック材質又はポリプロピレン系若しくはナイロン系のプラスチックシート又は交織した膜材であり、
前記基層は、プラスチック膜と布を多層に組み合わせた組み合わせであり、
前記生物医学的塗料は、美容効果を有する美容液塗料であり、又は、消炎、鎮痛の効果を有する塗料であり、
前記発熱材の材質は鉄粉である、
ことを特徴とする請求項２に記載の発熱膜。
【請求項４】
使用者の顔面に貼付されるための基材に設けられた複数の前記発熱ユニットを含み、
複数の前記発熱ユニットの一部が前記基材における前記顔面の左側の頬及び右側の頬に対応する位置に配置され、且つ複数の前記発熱ユニットの他の一部が前記基材における前記顔面の額の左右両側に対応する位置に配置されることによって発熱マスクが形成される、
ことを特徴とする請求項１、２、３のいずれかに記載の発熱膜。
【請求項５】
複数の発熱ユニットから成る発熱モジュール体であって、
各前記発熱ユニットの構造は、発熱機能空間体及び外部補助構造体から成り、
前記外部補助構造体は、前記発熱機能空間体を包み込み、
前記発熱機能空間体は、通気構造層、発熱材及び保護構造層を順次含み、
前記外部補助構造体は、仕切層、機能性層及び基層を順次含み、
前記保護構造層は、単層構造、又は、プラスチック膜若しくはプラスチック膜と不織布が混在する多層構造で、又は、ＰＰ膜とＰＥ膜との組み合わせの多層プラスチック膜の混在構造であり、
前記基層は、単層又は多層であり、
前記仕切層は、ＰＰ膜、ＴＰＵ膜又はＰＥ膜の単層であり、又は、ＰＰ膜とＰＥ膜との組み合わせの多層以上の組み合わせであり、若しくはＰＰ膜とＰＥ膜とＴＰＵ膜の多層以上の組み合わせである、
ことを特徴とする発熱モジュール体。